(57)【要約】【課題】  左右方向の狂いが出てもそのたびに調整作業をすることを必要とせず、かつ上下方向の狂いに対しても対応可能な施錠装置を備えた開口部装置を提供する。【解決手段】  左右から引き戸をつき合わせて開口部を開閉するようにした突合せ引き戸を備えた開口部装置において、左右の引き戸の合掌框には、少なくとも一方に鎌型係合片を備えた戸先錠と、他方に錠受け部とを設け、鎌型係合片を受け容れる錠受け部の受け部材３２０を上下方向に位置を調整可能とし、見付け方向に弾性部材３０３ａ、３０３ｂにより付勢する。【選択図】      図５
2005105717.tif 000002
【特許請求の範囲】
【請求項１】
左右から引き戸をつき合わせて、開口部を開閉するようにした突合せ引き戸を備えた開口部装置であって、
前記左右の引き戸の合掌框には、少なくとも一方に鎌型係合片を備えた戸先錠と、他方に錠受け部とが設けられ、
前記鎌型係合片を受け容れる前記錠受け部の受け部材は、上下方向に位置が調整可能であるとともに、見付け方向に弾性部材により付勢されている、
開口部装置。
【発明の詳細な説明】
【技術分野】
【０００１】
本発明は、合掌引き戸に戸先錠を備えた開口部装置に関する。
【背景技術】
【０００２】
住宅の居間などが室外に面する大きな開口部を有する場合、該開口部には枠体内に４枚の引き戸が配置され、中央の２枚の引き戸は左右からつき合わせて、開口部を開閉するようにした突合せ引き戸（合掌引き戸）とされることが多い。これら４枚の引き戸の施錠を行おうとする場合、左端の引き戸及び中央部左側の引き戸は、室内外方向の位置がずれているので、いわゆるクレセント錠により施錠可能である。同様に右端の引き戸及び中央部右側の引き戸もクレセント錠により施錠することができる。
【０００３】
一方、中央部左右２枚の引き戸は、同一レール軌道上にあって、左右から付き合わせるように配置されているため、クレセント錠は使用することができないので、かかる合掌型の引き戸同士にはそれぞれの戸当り框に、鎌型係合片を備えた戸先錠と、錠受け部とが設けられて、これらにより施錠が実現される。
【０００４】
このような合掌型の引き戸において、上記施錠を確実に行うために、面外方向（室内外方向）の建付けのずれはそれほど気にしなくとも良いものである。かかる面外方向のずれに対しては鎌型係合片の厚さより錠受け部の開口幅を少し大きくとる程度の対応で十分に足りる。
【０００５】
また、合掌型の引き戸においても戸車調整等が原因となって高さ方向のずれも生じる。このような高さ方向のずれが生じると錠のかかりが浅くなったり、最悪の場合錠がかからなくなったりするので調整が必要である。
【０００６】
さらに、合掌型の引き戸にあっては、面内方向の狂いも施錠に影響を与える。すなわち、引き戸を構成するサッシは完全な剛体ではなく、ガラスとのエッジクリアランス等との関係で障子が太鼓型や鼓型に変形するからである。鼓型（中央部凹）に引き戸が変形した場合には一方の引き戸に取り付けられた戸先錠から、他方の引き戸に取り付けられた錠受け部が遠くなり、施錠が困難になる。一方、引き戸が太鼓型（中央部凸）に変形してしまった場合、一方の引き戸に取り付けられた戸先錠から、他方の引き戸に取り付けられた錠受け部が近づきすぎてやはり施錠が困難なものとなってしまう。
【０００７】
さらに引き戸を内部に納める枠体も太鼓型や鼓型に変形することがある。特に４枚建の引き戸の構成は狂いが生じやすい。
【０００８】
このような面内方向の狂いに対して、特許文献１には、一本の調整ネジを締めたり緩めたりするだけで、左右方向の調整を行うことができる錠の構造が開示されている。この構造によれば、施工後に引き戸の建付けが多少狂うことがあっても、調整ネジを回すことにより左右方向の微調整を行って、施錠可能な状態を保つことが可能である。
【特許文献１】特開平８−３１９７８５号公報
【発明の開示】
【発明が解決しようとする課題】
【０００９】
しかし、特許文献１に開示された構造の場合、引き戸の左右方向の狂いが出た場合、そのたびに調整ネジによりその狂いを調整する作業を要するという問題があった。また、引き戸の狂いは左右方向以外に、上下方向にも生じるものであり、これを調整することも必要である。
【００１０】
そこで、本発明は、左右方向の狂いが出てもそのたびに調整作業をすることを必要とせず、かつ上下方向の狂いに対しても対応可能な施錠装置を備えた開口部装置を提供することを課題とする。
【課題を解決するための手段】
【００１１】
以下、本発明について説明する。なお、本発明の理解を容易にするために添付図面の参照符号を括弧書きにて付記するが、それにより本発明が図示の形態に限定されるものではない。
【００１２】
請求項１の発明は、左右から引き戸（２０、３０）をつき合わせて開口部を開閉するようにした突合せ引き戸を備えた開口部装置であって、左右の引き戸の合掌框（２１、３１）には、少なくとも一方に鎌型係合片（５０１）を備えた戸先錠（５００）と、他方に錠受け部（２００）とが設けられ、鎌型係合片を受け容れる錠受け部の受け部材（３２０）は上下方向に位置が調整可能であるとともに、見付け方向に弾性部材（３０３ａ、３０３ｂ）により付勢されている開口部装置（１００）を提供して前記課題を解決する。
【発明の効果】
【００１３】
請求項１の発明によれば、錠受け部の錠受け部材は見付け方向に弾性部材により付勢されているので、引き戸や枠体の左右方向の狂いに対して追従することが可能である。したがって、左右方向の狂いが出るたびにその狂いに応じた調整作業を必要としない。また、上記錠受け部の錠受け部材は上下方向に位置調整が可能であるので、引き戸や枠体の上下方向の狂いに対しても調整により良好な施錠状態を確保することが可能である。
【００１４】
本発明のこのような作用及び利得は、次に説明する発明を実施するための最良の形態から明らかにされる。
【発明を実施するための最良の形態】
【００１５】
以下本発明を図面に示す実施形態に基づき説明する。
【００１６】
図１は、本発明の開口部装置の一例として、４枚引き戸を備えた開口部装置を示す。図示の開口部装置１００は、室内側からの視点による正面図であり、上下左右に配置された四辺の枠１〜４で構成される枠体５の内部には、向かって左側から、４枚の引き戸１０、２０、３０、及び４０が収められている。左右両端の引き戸１０、及び４０は外障子であり、中央側の引き戸２０及び３０は内障子として構成されている。
【００１７】
４枚の障子１０〜４０を左右方向に引き動かすためのレール（図４参照）は室内外方向に２本配置されており、外障子１０、４０は室外側レールに、内障子２０、３０は室内側レールにより移動可能とされている。左端側の外障子１０と、中央左側の内障子２０とはそれぞれ室外側レール上、室内側レール上に配置されているので、外障子１０の右縦框と内障子２０の左縦框は召し合っており、これら２枚の障子１０、２０はいわゆるクレセント錠により施錠可能とされている。一方、右端側の外障子４０と、中央右側の内障子３０とはそれぞれ室外側レール上、室内側レール上に配置されていて、外障子４０の左縦框と内障子３０の右縦框も召し合っており、これら２枚の障子３０、４０もクレセント錠により施錠可能とされている。
【００１８】
中央部２枚の内障子２０、３０は、いずれも室内側レール上に配置されていて、中央部左側内障子２０の右縦框２１と、中央部右側内障子３０の左縦框３１とは、付き合わされて、いわゆる合掌部を形成している。かかる合掌部の施錠をはかるため、内障子３０の左縦框３１、内障子２０の右縦框２１には、それぞれ戸先錠５００と錠受け部２００とが取り付けられている。
【００１９】
図２は、図１において鎖線で示す円内の戸先錠５００と錠受け部２００とを拡大して示す図である。図は施錠状態の戸先錠５００と錠受け部２００とを概略的に示している。戸先錠５００の戸当り側には、鎌型係合金具５０１が取り付けられており、この鎌型係合金具５０１は、通常の解錠状態においては戸先錠５００の内部に収容されている。内障子２０と３０とがつき合わされて合掌する縦框２１、３１が近接すると、戸先錠５００の戸当り面に設けられた近接感知部材（不図示）が、内障子２０の縦框２１により戸先錠５００の内部に押し込まれる。この状態において、戸先錠５００の室内側面に設けられた施解錠操作部５０２を上方に押し上げることにより、戸先錠５００の内部に収容されている鎌型係合金具５０１が図の矢印Ｘの方向に沿って戸先錠５００内部から回転軌道を描くように移動される。そのとき、鎌型係合金具５０１の先端部が内障子２０の縦框２１に設けられた錠受け部２００の受け金具２０１に係合されて、施錠が行われる。
【００２０】
図３は、図１のIII−III線に沿った開口部装置の水平断面図である。この図３では、上方が室外、下方が室内側を表している。この図３からも明らかなように、開口部装置１００は、左右の縦枠３、４の間に、左右両端側に外障子１０、４０が、中央部には内障子２０、３０の合計４枚の引き戸が配置されている。
【００２１】
外障子１０は、左縦框１１と右縦框１２とを備え、これら左右の框１１、１２の間にグレージングチャネル１４を介して複層ガラスパネル１３が取り付けられている。また、内障子２０は、左縦框２２と右縦框２１とを備え、これら左右の框２１、２２の間にグレージングチャネル２４を介して複層ガラスパネル２３が取り付けられている。外障子１０の右縦框１２と、内障子２０の左縦框２２とは召し合っている。
【００２２】
一方、右端側の外障子４０は、左縦框４２と右縦框４１とを備え、これら左右の框４２、４１の間にグレージングチャネル４４を介して複層ガラスパネル４３が取り付けられている。また、中央右側の内障子３０は、左縦框３１と右縦框３２とを備え、これら左右の框３１、３２の間にグレージングチャネル３４を介して複層ガラスパネル３３が取り付けられている。外障子４０の左縦框４２と、内障子３０の右縦框３２とは召し合っている。
【００２３】
内障子２０の右縦框２１と、内障子３０の左縦框３１とは、互いにつき合わされる戸先部が合掌部を形成しており、それぞれの室内側見付面には錠受け部２００と、戸先錠５００とが取り付けられている。
【００２４】
図４は、開口部装置１００の開放状態（内障子３０を右縦枠４側に引き寄せた状態）において、図１のIV−IV線の位置における垂直断面図である。この図４では右側が室内側、左側が室外側を表している。上下の枠１、２の間に外障子４０と内障子３０とが配置されている。
【００２５】
外障子４０においては、上下の框４５、４６の間にグレージングチャネル４４を介してガラスパネル４３が取り付けられている。また外障子４０の上框４５の上部には振れ止め部材４９が取り付けられており、振れ止め部材４９の上部湾入部には上枠１に設けられた上枠レール１４が摺動可能に差し入れられている。さらに、外障子４０の下框４６には戸車４７が回転自由に取り付けられており、この戸車４７は、下枠２に設けられた下枠レール５４上に転動可能に載置されている。したがって、外障子４０は、上枠レール１４及び下枠レール５４にガイドされつつ図１の左右方向に引き動かすことが可能である。
【００２６】
一方、内障子３０においても、上下の框３５、３６の間にグレージングチャネル３４を介してガラスパネル３３が取り付けられている。また内障子３０の上框３５の上部には振れ止め部材３９が取り付けられており、振れ止め部材３９の上部湾入部には上枠１に設けられた上枠レール１５が摺動可能に差し入れられている。さらに、内障子３０の下框３６にも戸車３７が回転自由に取り付けられており、この戸車３７は、下枠２に設けられた下枠レール５３上に転動可能に載置されている。したがって、内障子３０も、上枠レール１５及び下枠レール５３にガイドされつつ図１の左右方向に引き動かすことが可能である。
【００２７】
図５は、錠受け部２００の分解斜視図、図６Ａは、錠受け部２００の内部を透視して示す正面図、図６Ｂは、錠受け部２００の内部を透視して示す側面図、図６Ｃは、錠受け部２００の内部を透視して示す平面図である。本発明の開口部装置１００において最も特徴的な部分は以下にこれらの図を参照しつつ説明する錠受け部２００の構造にある。
【００２８】
錠受け部２００は、図５に示すように、リベット２０１、２０２により固定される上部台座２２０及び下部台座２５０と、組み立て状態においてこれら上下の台座の間に上下方向（図５の左上部に示す矢印Ｙで示される方向）に移動可能である錠受けユニット２３０と、を主要部として構成され、これらの上下を上部台座カバー２１０及び下部台座カバー２６０が覆っている。なお下部台座カバー２６０は、組み立て上の便宜から第１ピース２６０ａと、第２ピース２６０ｂとで構成されている。
【００２９】
錠受け部２００は、ネジ金具等の取り付け部材（不図示）により内障子２０の右縦框２１に取り付けられる（図２参照）。上記取り付け部材を差し入れるために、上部台座２２０、及び下部台座カバー２６０の第１ピース２６０ａには、上部及び下部に孔２２１ａ、２２１ｂ、及び２６１ａ、２６１ｂがそれぞれ設けられている。また、取り付け部材の取り付け作業を容易ならしめるべく、上部台座カバー２１０の上下には矩形の作業孔２１１ａ、２１１ｂが設けられている。さらに、これら作業孔２１１ａ、２１１ｂ、及び右縦框２１に固定された上記取り付け部材を隠蔽するためのカバー部材２０３、２０４が上部台座カバー２１０の上下に取り付けられる。
【００３０】
上部台座２２０は、見付け面に平行な主構造面２２５を備え、主構造面２５０から戸当り面側に上下に二つの折り返し部２２６、２２８が設けられている。主構造面２２５には上下方向２箇所に孔２２３ａ、２２３ｂ、及び折り返し部側の上下方向中央に上下に伸びる長孔２２４が設けられている。さらに、折り返し面２２６、２２８には上下方向に伸びる長孔２２７、２２９がそれぞれ設けられている。
【００３１】
下部台座２５０は、上部台座の主構造面２２５の下面にその上面が当接されるべき第一面２５１と、第一面２５１から見込み方向に折り返された第二面２５２と、第二面２５２からさらに見付け方向に折り返された第三面２５３と、第三面２５３から再び見込み方向に折り返されて上下二箇所に配置された折り返し面２５４、２５５とを備えている。第一面２５１の上下２箇所には孔２５６ａ、２５６ｂが設けられている。また、第三面２５３の中央部には、上下方向に伸びる長孔２５７が設けられている。さらに、折り返し部２５４、２５５にはそれぞれ上下方向に伸びる長孔２５８、２５９が設けられている。
【００３２】
上部台座の主構造面２２５と、下部台座の第一面２５１とは、それぞれに設けられた孔２２３ａ、２２３ｂ、及び２５６ａ、２５６ｂに差し入れられたリベット２０１、２０２により固定される。このとき、上部台座の折り返し面２２６、２２８に設けられた長孔２２７、２２９と、下部台座の折り返し面２５４、２５５に設けられた長孔２５４、２５５とは見付け方向に見てそれぞれ一致する位置に配置されている。また、上部台座カバー２１０、及び下部台座カバー第２ピース２６０ｂには、これらの長孔に対応する位置にそれぞれ長孔２１２ａ、２１２ｂ及び２６３ａ、２６３ｂが設けられている。
【００３３】
また、上下の台座が組み立てられた状態において、上部台座の主構造面２２５に設けられた長孔２２４と、下部台座の第三面２５３に設けられた長孔２５７とは見込み方向に所定距離（折り返し面２２６、２２８、または２５４、２５５の見込み方向の幅）を隔てて対向する位置に配置されている。さらにこのとき上部台座２２０の折り返し面２２６と２２８との間、及び下部台座２５０の折り返し面２５４と２５５との間には、戸当り面に平行な開口４００が形成され、これに対応するように上部台座カバー２１０には開口４０１が、下部台座カバー第２ピース２６０ｂには切欠き４０２が設けられている。
【００３４】
錠受けユニット３００は、上記上部台座２２０と下部台座２５０との間に形成される空間内にあって該空間とほぼ同一厚さを有するとともに上下方向に移動可能なフレーム３１０と、フレーム３１０に対して見付け方向に摺動可能な受け部材金具３２０と、錠受けユニット３００の位置を決定するための二組のロングナット及び止めネジ３０２ａ、３０２ｂ；３０１ａ、３０１ｂと、フレーム３１０に一端側が当接されるとともに他端側が受け部材金具３２０を見付け方向に付勢する一対のコイルばね３０３ａ、３０３ｂと、を備えている。
【００３５】
フレーム３１０の見付け方向の両面には、上下に長い長円形の凸部３１１ａ、３１１ｂ（凸部３１１ｂは図面に現れていない。）が設けられている。凸部３１１ａ、３１１ｂの長手方向長さは、上部台座２２０の長孔２２４、下部台座の長孔２５７の長手方向長さより短く設定され、かつ幅方向長さはこれらよりわずかに小さく設けられている。上下の台座２２０、２５０の間にフレーム３１０が配置されたとき、凸部３１１ａは、長孔２２４内に、凸部３１１ｂは長孔２５７内にはまり込み、かつ上記した長手方向の長さの違いによって、フレーム３１０は、上下の台座の間にあって上下方向に摺動可能である。また、フレーム３１０の上下の面には見付け方向に凸条３１２ａ、３１２ｂ（凸条３１２ｂは図面に現れていない。）が形成されている。さらに、フレーム３１０の戸当り側見込み面には上下２箇所に下記するロングナット３０２ａ、３０２ｂの一端側が嵌入可能な断面形状六角形の非貫通孔３１３ａ、３１３ｂが設けられている。加えて、フレーム３１０の戸当り側見込み面には上記非貫通孔３１３ａ、３１３ｂの内側に一対の円筒形凹部３１４ａ、３１４ｂが設けられている。これら一対の円筒形凹部３１４ａ、３１４ｂには、下記するコイルばね３０３ａ、３０３ｂが嵌入され、それぞれの孔底部にはこれらコイルばねの一端側が当接される
【００３６】
受け部材金具３２０は、戸先錠５００の鎌型係合片５０１（図２参照）を受け容れる上下方向に長い矩形の開口４０３を備えた錠受け面３２１と、錠受け面３２１の両端から戸先方向とは反対方向に折り返された第二面３２４ａ、３２４ｂと、第二面のそれぞれの戸先方向とは反対側の端部から上下方向に折り返された第三面３２５ａ、３２５ｂと、第三面のそれぞれ上下の端部から再び戸先方向とは反対側に折り返された第四面３２６ａ、３２６ｂとを備えている。上下一対の第三面３２５ａ、３２５ｂにはそれぞれ孔３２３ａ、３２３ｂが設けられている。孔３２３ａ、３２３ｂは、フレーム３１０の断面形状六角形の非貫通孔３１３ａ、３１３ｂに見付け方向にそれぞれ対応する位置にある。
【００３７】
孔３２３ａ、３２３ｂにはそれぞれボルト３０１ａ、３０１ｂが差し入れられるが、ボルト３０２ａ、３０２ｂのヘッドの径は、孔３２３ａ、３２３ｂの径より小さく設けられている。一方、ボルト３０２ａ、３０２ｂのヘッドの径は、上下台座折り返し部の長孔２２７、２２９；２５８、２５９の幅より大であり、かつこれらボルトのねじ形成部の径はこれら長孔の幅より小さく設けられている。
【００３８】
ボルト３０１ａ、３０１ｂは、ロングナット３０２ａ、３０２ｂとそれぞれに螺合可能に形成されている。ロングナット３０２ａ、３０２ｂの六角形の断面形状に外接する円の直径は、第三面３２５ａ、３２５ｂに設けられている孔３２３ａ、３２３ｂの直径よりわずかに小さく設けられている。また、ロングナット３０２ａ、３０２ｂが、フレーム３１０から外側に露出する部分の長さは、下部台座２５０の第二面２５２と折り返し面２５４、２５５との間の間隔にほぼ等しい。
【００３９】
上下一対の第四面３２６ａ、３２６ｂにはそれぞれ第三面３２５ａ、３２５ｂ側から見付け方向に溝３２２ａ、３２２ｂが形成されている。一対の第四面３２６ａ、３２６ｂ間の間隔は、フレーム３１０の上下方向の長さにほぼ等しい。溝３２２ａ、３２２ｂの幅は、フレーム３１０の凸条３１２ａ、３１２ｂの幅とほぼ同一であり、長さはこれらの条より長く設けられている。したがって、受け部材金具３２０の第四面３２６ａ、３２６ｂ間にフレーム３１０が配置されると、フレーム３１０は受け部材金具３２０に対して、見付け方向に所定距離間で摺動可能である。
【００４０】
上下の台座２２０、２５０及び受け部材金具３２０が組み立てられた場合、戸当り面側から、上部台座の折り返し面２２６、２２８、下部台座の折り返し面２５４、２５５、錠受け部材金具３２０の第三面３２５ａ、３２５ｂの順に配置される。これらのさらに戸先面側には、下部台座カバーの第２ピース２６０ｂの長孔２６３ａ、２６３ｂが設けられている面、上部台座カバーの長孔２１２ａ、２１２ｂが設けられている面の順に配置される。
【００４１】
このような配置において、ボルト３０１ａ、３０１ｂは、上下台座の長孔２２７、２２９；２５８、２５９内に上下方向に移動可能であるので、ロングナット３０２ａ、３０２ｂに締め付けるまでは長孔内上下方向に自由に位置を選ぶことができる。ひとたびボルト３０１ａ、３０１ｂとロングナット３０２ａ、３０２ｂとを締め付けると、上下の台座２２０、２５０とロングナット３０２ａ、３０２ｂとの位置関係は一意に決せられる。このときフレーム３１０と受け部材金具３２０とは、コイルばね３０３ａ、３０３ｂにより互いに離隔する方向に付勢されており、フレーム３１０の戸当り面側と反対側の面は下部台座２５０の第二面２５２に押圧され、受け部材金具３２０の第三面３２５ａ、３２５ｂは、下部台座２５０の折り返し面２５４、２５５に押圧されている。この状態において、受け部材金具３２０の錠受け面３２１が戸当り面側からの押圧を受けると、ロングナット３０２ａ、３０２ｂは、上下の台座に固定されているものの、受け部材金具の孔３２３ａ、３２３ｂはロングナットの断面形状より大きく形成されているので、受け部材金具３２０は、コイルばね３０３ａ、３０３ｂの付勢に抗して見付け方向に押し込まれることが可能である。このとき、上記したようにフレーム３１０の凸条３１２ａ、３１２ｂと、受け部材金具３２０の溝３２２ａ、３２２ｂとの協働により、受け部材金具３２０の見付け方向奥側への移動が案内される。
【００４２】
以上説明したように、受け部材金具３２０は、ボルト３０１ａ、３０１ｂを緩めることによって、上下方向に位置調整が可能となり、かつ、見付け方向にコイルばね３０３ａ、３０３ｂにより付勢されているので、面内方向の狂いに対しても追従することが可能である。ここにコイルばね３０３ａ、３０３ｂの伸縮範囲は現実的には２〜３ｍｍ程度であることが好ましい。障子の枠体や、開口部の枠の変形によるいわゆる鼓や太鼓の変形にはその程度に対応すれば十分だからである。
【００４３】
以上、現時点において、最も、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００４４】
【図１】４枚引き戸を備えた開口部装置中央部２枚の引き戸の合掌部に、それぞれ戸先錠と錠受け部とが取り付けられている状態を室内側から示す正面図である。
【図２】図１において鎖線で示す円内の戸先錠と錠受け部とを拡大して示す図である。
【図３】図１のIII−III線に沿った開口部装置の水平断面図である。
【図４】開口部装置を開放した場合における図１のIV−IV線に沿った垂直断面図である。
【図５】錠受け部の分解斜視図である。
【図６Ａ】錠受け部の内部を透視して示す正面図である。
【図６Ｂ】錠受け部の内部を透視して示す側面図である。
【図６Ｃ】錠受け部の内部を透視して示す平面図である。
【符号の説明】
【００４５】
２０、３０  内障子（引き戸）
２１、３１  縦框（合掌框）
１００  開口部装置
２００  錠受け部
５００  戸先錠
５０１  鎌型係合片
３０３ａ、３０３ｂ  コイルばね（弾性部材）
３２０  受け部材金具（受け部材）
【図１】
2005105717.tif 000003
【図２】
2005105717.tif 000004
【図３】
2005105717.tif 000005
【図４】
2005105717.tif 000006
【図５】
2005105717.tif 000007
【図６Ａ】
2005105717.tif 000008
【図６Ｂ】
2005105717.tif 000009
【図６Ｃ】
2005105717.tif 000010